(57)【特許請求の範囲】
【請求項１】
太陽電池を介して再生可能エネルギー源から得られる直流電力を交流電力へ変換して負荷へ供給する電源システムの前記直流電力の流れる電力線に接続されて前記直流電力の充電と放電とを可能に構成した蓄電装置において、
複数のセルを接続して所望の定格電圧及び充電容量が得られるように構成した電池モジュールを、所定の防水性能を有する筺体内部の下部側に固定手段を介して着脱可能な状態で固定し、
前記電池モジュールの充電と放電とを制御する制御部を、前記筺体内部の上部側に固定して設け、
前記筺体の外面の一部を覆い前記外面から突出させてスイッチボックスを設け、
前記スイッチボックス内に、前記筺体の外面から突出し、前記直流電力を前記制御部に導く電路を開閉する手動のスイッチを設け、
防水機能を有して前記スイッチを覆うカバーを前記スイッチボックスに着脱自在に取り付けた
ことを特徴とする蓄電装置。
【請求項２】
前記スイッチは、前記筺体の天板又は側板の少なくとも一部に形成して前記カバーで覆われた専用のスイッチボックス内にこのスイッチのみを設けるとともに、
前記スイッチボックスと前記カバーとの間は、雨水が侵入しないような防水構造を有する
ことを特徴とする請求項１に記載の蓄電装置。
【請求項３】
電池モジュールを固定する前記固定手段は、搭載すべき電池モジュールの形状に合わせてその電池モジュールを取付け可能とするように構成された
ことを特徴する請求項１又は２に記載の蓄電装置。
【請求項４】
太陽電池を介して再生可能エネルギー源から得られる直流電力を交流電力へ変換して負荷へ供給する電源システムの前記直流電力の流れる電力線に接続されて前記直流電力の充電と放電とを可能に構成した蓄電装置において、
複数のセルを接続して所望の定格電圧及び充電容量が得られるように構成した電池モジュールを、所定の防水性能を有する筺体内部の下部側に固定手段を介して着脱可能な状態で固定し、
前記電池モジュールの充電と放電とを制御する制御部を、前記筺体内部の上部側に固定して設け、
前記筺体の天板を防水機能を有して覆うカバーを着脱自在に取り付け、
前記天板から操作部が前記カバー内に突出し、前記直流電力を前記制御部に導く電路を開閉する手動のスイッチを備える
ことを特徴とする蓄電装置。
【発明の詳細な説明】
【技術分野】
【０００１】
本発明は、太陽電池で発電された電力を系統に連系させる電力変換装置と共に用いられる蓄電装置に関するものである。
【背景技術】
【０００２】
近年、太陽電池で発電された直流電力を交流電力に変換して系統に重畳する電力変換装置が用いられている。この電力変換装置だけでは、太陽電池が発電を行っていない夜間には交流電力を出力して系統へ重畳させることができず、特に夜間に停電が起きた場合には全く電力供給がなされなくなるものである。
【０００３】
そこで、このような問題に対処したものとしては、例えば特許文献１に記載されたような蓄電装置を備えたものが知られている。このような蓄電装置には、蓄電池を付設しているものであって、昼間は太陽電池で発電された電力を蓄電池へ供給して充電し、夜間は系統からの電力で蓄電池を充電するものであり、昼夜を問わない交流電力の出力に対応したものであった。
【先行技術文献】
【特許文献】
【０００４】
【特許文献１】特許第３１８１４２３号公報
【発明の概要】
【発明が解決しようとする課題】
【０００５】
ところで、このような蓄電装置を備えた電力変換装置にあっては、例えば太陽電池の破損、電力変換装置の故障、或いはメンテナンス等を行うようなときには、安全のため蓄電装置を太陽電池から切り離す必要がある。その場合、蓄電装置の筺体内部を開いて、例えば筐体内に設けた所定のスイッチを手動で操作するような面倒な作業が必要であった。
【０００６】
ところが、このように筺体を開いて内部の基板や回路を露出させて上記のような操作を行う場合には、通常、サービスマンなどの専門の担当者が行うが、このサービスマンが蓄電装置を設置している場所へ到着するには時間を有する場合が多く、地震や台風などのような災害による太陽電池の破損等による緊急時には、サービスマンではなく蓄電装置の利用者がスイッチの手動操作を行わなければならない場合がある。操作に不慣れな利用者には上述のようなスイッチ操作が困難でもあった。また、このような電路の開放操作を行う際には、このスイッチの近くの回路上などに、コンデンサ、トランス、抵抗、トランジスタ、その他の電子部品などが設置されているので、これらの部品に誤って接触すると、部品によっては発熱による火傷や危険な感電事故をもたらす虞もある。
【０００７】
従って、本発明の目的は、太陽電池の破損や、電力変換装置の故障、或いはメンテナンス等のような作業が必要な場合には、誰でも簡単に、電路の開閉を行うスイッチを確実に操作して太陽電池から切り離すことが可能となる蓄電装置を提供することである。
【課題を解決するための手段】
【０００８】
・  本発明の請求項１に係る蓄電装置は、
太陽電池を介して再生可能エネルギー源から得られる直流電力を交流電力へ変換して負荷へ供給する電源システムの前記直流電力の流れる電力線に接続されて前記直流電力の充電と放電とを可能に構成した蓄電装置において、
複数のセルを接続して所望の定格電圧及び充電容量が得られるように構成した電池モジュールを、所定の防水性能を有する筺体内部の下部側に固定手段を介して着脱可能な状態で固定し、
前記電池モジュールの充電と放電とを制御する制御部を、前記筺体内部の上部側に固定して設け、
前記筺体の外面の一部を覆い前記外面から突出させてスイッチボックスを設け、
前記スイッチボックス内に、前記筺体の外面から突出し、前記直流電力を前記制御部に導く電路を開閉する手動のスイッチを設け、
防水機能を有して前記スイッチを覆うカバーを前記スイッチボックスに着脱自在に取り付けたことを特徴とする。
（２）また、本発明の請求項２に係る蓄電装置は、請求項１に記載の蓄電装置において、
前記スイッチは、前記筺体の天板又は側板の少なくとも一部に形成して前記カバーで覆われた専用のスイッチボックス内にこのスイッチのみを設けるとともに、
前記スイッチボックスと前記カバーとの間は、雨水が侵入しないような防水構造を有する、ことを特徴とする。
（３）また、本発明の請求項３に係る蓄電装置は、請求項１又は２に記載の蓄電装置において、
電池モジュールを固定する前記固定手段は、搭載すべき電池モジュールの形状に合わせてその電池モジュールを取付け可能とするように構成された、ことを特徴する。
（４）また、本発明の請求項４に係る蓄電装置は、
太陽電池を介して再生可能エネルギー源から得られる直流電力を交流電力へ変換して負荷へ供給する電源システムの前記直流電力の流れる電力線に接続されて前記直流電力の充電と放電とを可能に構成した蓄電装置において、
複数のセルを接続して所望の定格電圧及び充電容量が得られるように構成した電池モジュールを、所定の防水性能を有する筺体内部の下部側に固定手段を介して着脱可能な状態で固定し、
前記電池モジュールの充電と放電とを制御する制御部を、前記筺体内部の上部側に固定して設け、
前記筺体の天板を防水機能を有して覆うカバーを着脱自在に取り付け、
前記天板から操作部が前記カバー内に突出し、前記直流電力を前記制御部に導く電路を開閉する手動のスイッチを備える、ことを特徴する。
【発明の効果】
【０００９】
（１）本発明の請求項１に係る蓄電装置によれば、例えば太陽電池の破損や、電力変換装置の故障、或いはメンテナンスを行う等のような作業が必要な場合に、誰でも簡単に、電路の開閉を行うスイッチを確実に操作して運転動作を停止させることが可能となる。
（２）本発明の請求項２に係る蓄電装置によれば、専用のスイッチボックス内に手動スイッチのみが設置されているので、誤って別のスイッチや別の部品に触れる虞がなく、安全かつ確実な手動によるスイッチ操作が行える。しかも、別の部品に触れて火傷や感電事故を起こすことも防止できる。
（３）本発明の請求項３に係る蓄電装置によれば、形状の異なる各種のタイプの電池モジュールへの交換が可能であり、別言すれば、共通の構成の蓄電装置を使用して各種形状の蓄電池を搭載可能になるので、その分、汎用性も高まり製造コストの低下にもつながる。
（４）本発明の請求項４に係る蓄電装置によれば、例えば太陽電池の破損や、電力変換装置の故障、或いはメンテナンスを行う等のような作業が必要な場合に、誰でも簡単に、電路の開閉を行うスイッチを確実に操作して運転動作を停止させることが可能となる。
【図面の簡単な説明】
【００１０】
【図１】本発明の第１の実施形態に係る蓄電装置の外観を示す斜視図である。
【図２】その蓄電装置を含む電源システムの全体構成を示す説明図である。
【図３】その蓄電装置の筺体における手動スイッチの設置位置を示す分解斜視図である。
【図４】その蓄電装置の筺体の本体部での内部構造を示す説明図である。
【図５】その蓄電装置を含む電源システムの電気的な全体構成を示す回路図である。
【図６】その蓄電装置に電池モジュールとしてリチウム電池を搭載させた状態を示す要部斜視図である。
【図７】その蓄電装置に電池モジュールとして大型の別のリチウム電池を搭載させた状態を示す要部斜視図である。
【図８】（Ａ）は本発明の第２の実施形態に係る蓄電装置の外観を示す斜視図、（Ｂ）はその要部を示す分解斜視図である。
【図９】（Ａ）は本発明の第３の実施形態に係る蓄電装置の筺体上部側の外観を示す斜視図、（Ｂ）はその要部を示す分解斜視図である。
【図１０】（Ａ）は本発明の第４の実施形態に係る蓄電装置の筺体全体を示す斜視図、（Ｂ）はその要部を示す分解斜視図、（Ｃ）は（Ｂ）の要部断面図である。
【発明を実施するための形態】
【００１１】
以下、本発明の好適な実施形態について、添付図面を参照しながら詳細に説明する。
［第１の実施形態］
図１は本発明の第１の実施形態に係る蓄電装置１を示すものである。この蓄電装置１は、図２に示すように、入力が太陽電池２に接続された接続箱３に接続されているとともに、出力が電力変換装置（以下、「パワコン」とよぶ）４の入力に接続されており、図３に示すように、筺体１０内の最上部に設けたスイッチボックスには手動スイッチＳＷを備えている。なお、図２において、符号５が蓄電装置１の操作用リモコン、符号６が分電盤を示す。
【００１２】
太陽電池２は、複数の太陽電池セルを直列及び並列に接続して所定の定格電圧及び／並列接続したものであり、例えば、定格電圧３００Ｖ、出力２．４ＫＷ、出力４．８ＫＷなどである。
【００１３】
接続箱３は、太陽光発電モジュールのストリングとパワコン４とを接続するためのものである。
【００１４】
パワコン４は、再生可能エネルギー源である太陽光から太陽電池２を介して得られる直流電力を交流電力へ変換して系統からの交流電力に家屋内で重畳するものである。一方、蓄電装置１は、搭載の蓄電池に対して直流電力を充放電させるものである。この蓄電装置１は、太陽電池２から集電箱３を介して供給される直流電力の流れる電力線に接続されており、太陽電池２を介して得られる直流電力を電池モジュールＢ（図４，５参照）への充電と、この電池モジュールＢからの放電と、を適宜に行うようになっている。
【００１５】
電池モジュールＢは、複数のセルを接続して所望の定格電圧及び充電容量が得られるように構成したものであり、この電池モジュールＢが、後述する筺体１０下部のバッテリ室に、交換可能な状態で堅固に固定され搭載されている。なお、本実施形態の場合、蓄電用のバッテリとして、図４に示すように、鉛タイプの蓄電池（例えば、１２Ｖ，２０Ａｈのものを直列に４個接続して、ＤＣ４８Ｖの定格電圧としている。）Ｂ１を用いているが、これに限るものではなく、定格電圧は任意の電圧であってもよい。また、時間当たりの出力は、要求に応じて蓄電池を並列に接続する数を変更させればよく、また、リチウムイオン電池等を使用してもよいものであって蓄電池の種類を限定するものではない。
【００１６】
本実施形態の蓄電装置１は、筺体１０が、本体部１０Ａと、この本体部１０Ａの天板１１に覆うようにして本体部１０Ａの上部に防水機能を有して螺着して固定するカバー１０Ｂと、で構成されている。
【００１７】
本体部１０Ａは、蓄電池Ｂの交換等を容易かつ確実に行えるようにするため、前面（フロント）に大きく開口させた開口部１３（図４参照）にフロントパネル１２を着脱可能に螺着させている。また、本体部１０Ａの内部空間は、間仕切板Ｓ（筺体の強度が確保できれば省略可能）を境界として、その下部に電池モジュールである蓄電池Ｂを収容するバッテリ室と、またその上部に制御部２０となる各種の電子部品等を実装させた回路基板Ｐを収容する基板室と、に２分割されている。また、この本体部１０Ａは、基板室の上の天板１１にカバー１０Ｂを上から覆うように防水用のパッキン（図示せず）を介して螺着して取り付けると、天板１１とカバー１０Ｂとの間に、スイッチボックスと成る一定の大きな空間が形成される。なお、この空間には、手動スイッチＳＷの操作部のみが設置される専用空間として構成されている。
【００１８】
また、本体部１０Ａは、正面に大きく開口する開口部１３に、図示外のゴムパッキンなどのシール部材を介して前述のフロントパネル１２を取付けることで水密状態に閉止されており、バッテリＢ及び回路基板Ｐの交換作業或いはメンテナンス作業などの際には取り外して必要作業を行えるようになっている。また、この本体部１０Ａは、必要時に手動操作によって蓄電装置１と太陽電池からの直流電力との電路の開放を行うため、天板１１に前述の手動スイッチＳＷの操作部を突設させている。なお、この蓄電装置１は、雨水にさらされる虞のある屋外に設置されており、筺体１０からカバー１０Ｂを外して屋外でのスイッチＳＷの開閉操作を行っても、本体部１０Ａの内部に雨水などが侵入するのを防止するため、この天板１２を含む本体部１０Ｂ自体が防水機能を有する構造となっている。
【００１９】
このカバー１０Ｂは、手動スイッチＳＷを操作させるときにのみ本体部１０Ａから取り外して手動スイッチＳＷの操作部を露出させるようになっており、普段は、本体部１０Ａと一体となるように止め付けてある。即ち、このカバー１０Ｂは、通常、筺体１０の本体部１０Ａに図示外のゴムパッキン等のシール部材を介して上から被せるようにして、本体部１０Ａに対して水密状態で固定されている。
【００２０】
回路基板Ｐは、シャーシ３０に一体に組付けられているとともに、バッテリ室と基板室とを間仕切る間仕切板Ｓの上面にシャーシ３０を介して固定されており、制御部２０となる各種の電子部品が実装されている。
【００２１】
制御部２０は、蓄電装置１の運転制御を行うものであり、本実施形態の場合には、例えば図５に示すような回路構成となっている。即ち、この制御部２０は、４個のスイッチング素子をブリッジ状に結線した２組の単層インバータ回路２１，２２と、トランス２３とによって充放電回路を構成している。なお、コンデンサ２４，２５及び抵抗２６は、
それぞれ、昇圧時の平滑用のコンデンサであり、保護用の抵抗である。また、電流検出器２７，２８は、太陽電池２の発電電流及びパワコン４へ供給される電流を検出させるためのものであって、接続点Ｖでの電位を検出することによって、上記検出電流値と電圧値との積からそれぞれの電力値を具体的に求めることができる。
【００２２】
手動スイッチＳＷは、太陽電池２とパワコン４とをつなぐ直電力線につながる電路を開閉する手動のスイッチ部を構成するものであり、例えば太陽電池２の破損やパワコン４の故障、必要なメンテナンスなどの際に蓄電装置１を太陽電池２から切り離すものである。本実施形態の手動スイッチＳＷの操作部は、前述したように、天板１１とカバー１０Ｂとの間の全面に亙る空間であるバッテリボックスの端部寄りに突出して設置されており、確実な運転停止動作を行わせるために、ロータリースイッチで構成されているが、同様な効果が得られるものであれば、特にこのスイッチに限らなくてもよい。
【００２３】
次に、本実施形態に係る筺体１０内部のバッテリ室の構造について、図４、６、７を参照しながら説明する。
筺体１０内部の下部を占有するバッテリ室は、搭載する電池モジュールに応じた部材に取り換え可能な構成とするために、電池モジュールの固定手段を構成するスペーサ４０及びラック５０を設けている。
【００２４】
このうち、スペーサ４０は、バッテリ室の床面の左右の側壁面間に全体に亙り、奥行き方向に沿って互いに平行な状態で、柱状を呈する丈夫な部材（以下、直方部材）４１を等間隔で５本固設した構成となっており、この直方部材４１の間である隙間に電池モジュールを構成する各バッテリ、特に鉛タイプの蓄電池（４連）を固定させるようになっている。
【００２５】
また、このスペーサ４０を構成する直方部材４１には、単一のリチウムイオンバッテリを直方部材４１の上面に不動状態で搭載させるために、図７に示すＬ字金具４３の底面側の丸孔に通して一体にねじ止めさせるねじ孔４２が設けられている（必ずしも全てに設置させる必要はないが、任意のものを選択できるようにするために、５つ全てに開口させておいてもよい）。
【００２６】
一方、ラック５０については、縦方向に等間隔で開口した丸穴５２を有し、バッテリ室の床面と天井面（間仕切板Ｓの下面）との間の前後左右の四隅に突っ張り棒として配置した４本の柱５１と、これらの柱５１の丸穴５２の中でそれぞれ同一高さの部分にねじ等による止め付け部材で複数高さに、かつ、互いに等間隔で固定させて所定の加重に耐えるように堅固な状態で設けた支持棚５３と、で構成されている。
【００２７】
この支持棚５３には、上方に起立した壁面部分に電池モジュールを構成する各バッテリを固定させるためのねじ孔５４を設けている。また、この支持棚５３は、手前側の側面５３Ａに設けたねじ孔５４とは別に、柱５１止着専用に設けたねじ孔によって柱５１に螺着させることで、使用するバッテリの高さ寸法及び設置台数に応じて、柱５１における設置高さ及び設置数を適宜に変更させることができる。
【００２８】
本実施形態では、図４に示すように、電池モジュールＢに用いるバッテリとして所定の規格寸法を有する鉛タイプのバッテリＢ１を４個使用している。このため、このバッテリサイズに合わせて予め位置決めされて固設されているスペーサ４０の間の空間を利用して、このスペーサ４０間に隙間なくバッテリＢ１を設置することができる。
このように、鉛タイプのバッテリＢ１は、ある程度の自重を有しており、しかも、筺体１０の本体部１０Ａ内部の下部側に設けてあるバッテリ室の床面に設置することで低重心化を図ることができるので、安定した状態での収納が可能となる。
【００２９】
なお、本実施形態では、上述のような鉛タイプのバッテリＢ１を搭載しているが、搭載する電池モジュールＢのタイプは特にこれに限定されるものではない。このように、搭載するバッテリの形状が各種異なるものであってもこれに対応してバッテリを搭載可能とするために、上述のスペーサ４０のみならずラック５０も設けてある。
【００３０】
例えば図６に示すような、比較的扁平な形状を呈するリチウムイオンタイプのバッテリＢ２を搭載させる場合には、柱５１に所要の等間隔で設置させた左右一対の支持棚５３に対して支承させるとともに、支持棚５３の手前側の側面５３Ａに設けたねじ孔５４と、このねじ孔５４に位置合わせされた状態で上記バッテリＢ２のハウジングに設けられたねじ孔５５と、の間をねじで一体に固定させる。
【００３１】
さらに、例えば図７に示すように、所定の容量を１台ものもので完備できる別の大型リチウムイオンタイプのバッテリＢ３でも搭載可能である。なお、このバッテリＢ３では、正面の所定位置にねじ孔５６を設けてある。
【００３２】
従って、このバッテリＢ３のものでは、支持棚５３を柱５１から取り外し（特に邪魔でなければ、勿論そのまま残しておいてもよい。）、スペーサ４０の上面を利用してその上に搭載させる。また、この搭載させたバッテリＢ３に対して、専用の留め具４３等を利用して、スペーサ４０上面に設けたねじ孔４２と、バッテリＢ３の正面に設けてあるねじ孔５６との間を、留め具であるＬ字金具４３の孔（この孔の内周面には雌ねじが切ってなくてよい）を貫通させる状態でねじを差し入れて、双方の間のねじ孔に一体に止め付ける。
【００３３】
ところで、商用電源の代替手段として、再生可能エネルギー源である太陽光から太陽電池２を介して得られる直流電力を交流電力へ変換して系統へつながる屋内配線へ重畳することで、一般家庭内の各種負荷へ電力を供給する電源システムに付帯可能に構成された蓄電装置において、例えば太陽電池の破損や、電力変換装置の故障、或いはメンテナンスを行う等のような場合に、蓄電装置１を電源システムから切り離す必要があった。ところが、従来は、例えば蓄電装置の筺体内部を開いて、内部のスイッチで電路を開くような作業が必要であった。
【００３４】
一方、本実施形態によれば、所望のスイッチをオフさせて蓄電装置を太陽電池から切り離すために、態々、筺体１０の内部を開いて回路基板Ｐを露出させるような、サービスマンによる専門性を有する作業を行わなくても済む。即ち、図１に示す状態の筺体１０から、ねじを外してカバー１０Ｂを筺体１０の本体部１０Ａから取り外すと、図３に示すように本体部１０Ａの天板１１から突出するスイッチＳＷが露出するので、この状態で簡単にスイッチＳＷの手動による電路の開放操作が行える。このように、回路基板Ｐ上の高電圧部品や発熱量の多い素子などに手を触れる可能性を排除し蓄電装置の一般の使用者でも安全にスイッチＳＷのオン／オフ操作が行える。
【００３５】
また、回路基板Ｐを露出することが必要ないので、危険な感電事故を招くこともない。さらに、本実施形態によれば、電気的な知識がなくても、カバー１０Ｂの取り外しだけで比較的短時間でスイッチ操作が行えるので、地震や台風などの災害による太陽電池の破損等による緊急の場合での運転停止作業について、対応が迅速かつ確実に行える。
【００３６】
［第２の実施形態］
図８は本発明の第２の実施形態に係る蓄電装置１Ｂを示すものである。この第２の実施形態の蓄電装置１Ｂでは、筺体６０の天面６０Ａの一部（一端部寄りの部分）に、スイッチカバー６２で覆われたスイッチボックス６１を突出させた状態で一体に設け、このスイッチボックス６１内部に前述の第１の実施形態のものと同じ手動スイッチＳＷを設けている点が、第１の実施形態の蓄電装置１Ａと異なる。
【００３７】
スイッチボックス６１には、これを上から覆うスイッチカバー６２がねじで取外し可能に取付けられている。また、本実施形態の蓄電装置１Ｂも、雨水にさらされる虞のある屋外に設置されているので、スイッチカバー６２には、図示外の内周面にゴムパッキンなどのシール部材を取付けてあり、防水構造が確保されている。この蓄電装置１Ｂでも、手動スイッチＳＷの専用空間であるスイッチボックス６１内のスイッチＳＷの操作を行う場合以外には、スイッチカバー６２を取り外すことはない。
【００３８】
従って、本実施形態によれば、スイッチＳＷが筺体６０の天面６０Ａに設けたスイッチボックス６１内に突設してあるので、スイッチＳＷの手動操作が無理な姿勢を要せずに行いやすい。
【００３９】
［第３の実施形態］
図９は本発明の第３の実施形態に係る蓄電装置１Ｃを示すものである。この第３の実施形態の蓄電装置１Ｃでは、筺体７０の側面７０Ａ側の一部に、スイッチボックス７１を窪ませた状態で一体に設け、このスイッチボックス７１に前述の第１の実施形態のものと同じ手動スイッチＳＷを設けている点が、第１、第２の実施形態の蓄電装置１Ａ，１Ｂと異なる。また、この蓄電装置１Ｃでは、筺体７０の上部両側方が外方に向けて突出した庇状に形成されており、多少の降雨であれば、この庇７０Ｂの部分でスイッチボックス７１を雨水から保護することも可能となっている。
【００４０】
この蓄電装置１Ｃも、雨水にさらされる虞のある屋外に設置されているので、スイッチボックス７１には、図示外の内周面にゴムパッキンなどのシール部材を取り付けてあるスイッチカバー７２がねじで取り外し可能に取り付けられており、防水状態が確保されている。なお、この蓄電装置１Ｃでも、手動スイッチＳＷの専用空間であるスイッチボックス７１内のスイッチＳＷの操作を行う場合以外には、スイッチカバー７２を取り外すことはない。
【００４１】
スイッチカバー７２は、各辺がスイッチボックス７１よりも大きな略方形状に形成されており、スイッチボックス７１を囲むような状態で、周辺の側面７０Ａに設けたねじ孔に螺着させるようになっている。このスイッチカバー７２は、スイッチボックス７１に対面する内面側に略ロ字形に突出したシール壁に、ゴムパッキン７２Ａが周設されている。
【００４２】
従って、本実施形態によれば、筺体７０の側面７０Ａから内側に窪ませて設け、かつ、スイッチカバー７２で覆われたスイッチボックス７２内に、スイッチＳＷが突出して設けてあるが、スイッチボックス７２内への雨水の差し込みが庇７０Ｂによってある程度回避できるので、便宜である。
【００４３】
［第４の実施形態］
図１０は本発明の第４の実施形態に係る蓄電装置１Ｄを示すものである。この第４の実施形態の蓄電装置１Ｄでは、筺体８０の側面８０Ａの一部に窪ませた状態で一体に設けたスイッチボックス８１を取り囲むように、このスイッチボックス８１の全周縁部分に沿って一段立ち上がった段部８１Ａを設けており、スイッチカバー８２がこの段部８１Ａに埋設する状態で、段部８１Ａに設けたねじ孔に螺着される。
【００４４】
また、この蓄電装置１Ｄでも、第３の実施形態と同様、筺体８０の上部両側方が外方に向けて突出した庇状に形成されており、多少の降雨であれば、この庇８０Ｂの部分でスイッチボックス８１を雨水から保護することも可能となっている。
【００４５】
この蓄電装置１Ｄでも、スイッチカバー８２は、各辺がスイッチボックス８１の窪みと同一大きさの略方形状に形成されており、手動スイッチＳＷの専用空間であるスイッチボックス８１の窪みに隙間なく嵌合されてスイッチカバー８２の外面が側面８０Ａと面一状態となっている。また、このスイッチカバー８２にも、スイッチボックス８１に対面する内面側の、略ロ字形に突出したシール壁にゴムパッキン８２Ａが周設されている。
【００４６】
従って、本実施形態によれば、スイッチカバー８２が筺体８０の側面８０Ａに面一の状態で取り付けられているので、見栄えの点で好都合であるだけでなく、雨水の侵入も効果的に防止できる。
【００４７】
なお、本発明は、上記実施形態に限定されるものではなく、特許請求の範囲に記載の要旨を逸脱しない範囲で各種の変形実施が可能である。
【符号の説明】
【００４８】
１Ａ〜１Ｄ    蓄電装置
２    太陽電池
３    接続箱
４    電力変換装置（パワコン）
５    蓄電装置の操作用リモコン
６    分電盤
１０，６０，７０，８０    筺体
１０Ａ    本体部
１０Ｂ    カバー
１１    天板
１２    フロントパネル
１３    開口部
２０    制御部
３０    シャーシ
４０    スペーサ（固定手段）
４１    直方部材
４２    ねじ孔
４３    Ｌ字金具
５０    ラック（固定手段）
５１    柱
５２    丸穴
５３    支持棚
５３Ａ，７０Ａ，８０Ａ    側面
５４，５５，５６    ねじ孔
６０Ａ    天面
６１，７１，８１    スイッチボックス
６２，７２，８２    スイッチカバー
７０Ｂ    庇
７２Ａ、８２Ａ    ゴムパッキン
８０Ｂ    庇
８１Ａ    段部
Ｂ    電池モジュール（蓄電池）
Ｂ１    鉛タイプの蓄電池
Ｂ２    リチウムイオンタイプのバッテリ
Ｂ３    大型リチウムイオンタイプのバッテリ
Ｐ    回路基板
Ｓ    間仕切板
ＳＷ    手動スイッチ
【図１】
0005824671.tif 000002
【図２】
0005824671.tif 000003
【図３】
0005824671.tif 000004
【図４】
0005824671.tif 000005
【図５】
0005824671.tif 000006
【図６】
0005824671.tif 000007
【図７】
0005824671.tif 000008
【図８】
0005824671.tif 000009
【図９】
0005824671.tif 000010
【図１０】
0005824671.tif 000011